【手続補正書】
【提出日】平成15年10月7日(2003.10.7)
【手続補正１】
【補正対象書類名】特許請求の範囲
【補正対象項目名】全文
【補正方法】変更
【補正の内容】
【特許請求の範囲】
【請求項１】
コード記号であって、該コード記号は、以下：
基材；
空間により隔てられ、そして該基材上に配置された、複数の光反射セグメントであって、該空間は、光吸収セグメントを規定する、複数の光反射セグメント；
を備え、
ここで、該光反射セグメントおよび該光吸収セグメントは、固定情報および可変情報を表すネガティブイメージバーコードを規定し；そして
ここで、該コード記号は、リーダーを用いて検出可能である、コード記号。
【請求項２】
前記光反射セグメントが、リーダーにより検出され得る印である、請求項１に記載のコード記号。
【請求項３】
前記印が、人間の肉眼で見ることができる、請求項２に記載のコード記号。
【請求項４】
前記印が、白、赤、黄、オレンジ、金、および銀からなる群より選択される色を有する、請求項３に記載のコード記号。
【請求項５】
前記印が、人間の肉眼で見ることができない、請求項３に記載のコード記号。
【請求項６】
前記固定情報が、第１の時間の間変化せず、一方、前記可変情報は、第１の時間の間に変化する、請求項１に記載のコード記号。
【請求項７】
前記固定情報が、製品名、製造業者、一般的商品コード、一般的商品番号、国内医薬品コード、国内健康関連産業コード、およびラベルコピーデータからなる群より選択される、請求項１に記載のコード記号。
【請求項８】
前記可変情報が、ロット番号、バッチ番号、有効期限、シリアル番号、製造時刻、価格、在庫管理データ、および濃度からなる群より選択される、請求項１に記載のコード記号。
【請求項９】
前記コード記号が、医療用容器上に配置される、請求項１に記載のコード記号。
【請求項１０】
前記基材が、熱可塑性ポリマーまたは熱硬化性ポリマーを含む、請求項１に記載のコード記号。
【請求項１１】
前記熱可塑性ポリマーまたは熱硬化性ポリマーが、ポリビニルクロライド、ポリビニルジクロライド、ポリオレフィン、ポリアミド、ポリカーボネート、ポリエステル、熱可塑性エラストマー、エラストマー、ポリイミド、ポリウレタン、エチレンビニルアルコールコポリマー、エチレンビニルアセテートコポリマー、エチレンコポリマー、プロピレンコポリマー、アクリル酸コポリマー、エチレン置換アクリル酸コポリマー、α−オレフィン置換アクリル酸コポリマー、炭化水素ブロックポリマー、エチレンプロピレンジエンポリマー、ナイロン、単層フィルム構造、および多層フィルム構造からなる群より選択される、請求項１０に記載のコード記号。
【請求項１２】
前記ポリオレフィンが、約２〜約２０個の炭素を有するα−オレフィンから作製される、請求項１１に記載のコード記号。
【請求項１３】
前記α−オレフィンが、エチレンまたはプロピレンである、請求項１２に記載のコード記号。
【請求項１４】
コード記号を有する容器であって、該容器は、以下：
基材；
空間により隔てられ、そして該基材上に配置された、複数の光反射セグメントであって、該空間は、光吸収セグメントを規定する、複数の光反射セグメント；
を備え、
ここで、該光反射セグメントおよび該光吸収セグメントは、固定情報および可変情報を表すネガティブイメージバーコードを規定し；
ここで、該コード記号は、リーダーを用いて検出可能であり；そして
ここで、該基材は、ポーチ型可撓性容器を含む、容器。
【請求項１５】
コード記号であって、該コード記号は、以下：
基材；
空間により隔てられ、そして該基材上に配置された、第１の複数の光反射セグメントであって、該空間は、第１のセットの光吸収セグメントを規定し、そしてここで、該第１の複数の光反射セグメントおよび第１のセットの該光吸収セグメントは、固定情報を表す第１のバーコードを規定する、第１の複数の光反射セグメント；
空間により隔てられ、そして該基材上に配置された、第２の複数の光反射セグメントであって、該空間は、第２のセットの光吸収セグメントを規定し、そしてここで、該第２の複数の光反射セグメントおよび第２のセットの該光吸収セグメントは、可変情報を表す第２のバーコードを規定する、第２の複数の光反射セグメント；を備え、そして、
ここで、該コード記号は、リーダーを用いて検出可能である、コード記号。
【請求項１６】
コード記号を有する容器であって、該容器は、以下：
該容器の一部を規定する基材；
空間により隔てられ、そして該基材上に配置された、複数の光反射セグメントであって、該空間は、光吸収セグメントを規定する、複数の光反射セグメント；
を備え、
ここで、該光反射セグメントおよび該光吸収セグメントは、固定情報および可変情報を表すネガティブイメージバーコードを規定し；
ここで、該ネガティブイメージバーコードは、リーダーを用いて検出可能であり；そして
ここで、該容器は、医療用容器である、容器。
【請求項１７】
容器であって、該容器は、以下：
基材；
空間により隔てられ、そして該基材上に配置された、第１の複数の光反射セグメントであって、該空間は、第１のセットの光吸収セグメントを規定し、そしてここで、該第１の複数の光反射セグメントおよび第１のセットの該光吸収セグメントは、固定情報を表す第１のバーコードを規定する、第１の複数の光反射セグメント；
空間により隔てられ、そして該基材上に配置された、第２の複数の光反射セグメントであって、該空間は、第２のセットの光吸収セグメントを規定し、そしてここで、該第２の複数の光反射セグメントおよび第２のセットの該光吸収セグメントは、可変情報を表す第２のバーコードを規定する、第２の複数の光反射セグメント；を備え、
ここで、該第１のバーコードおよび第２のバーコードは、リーダーを用いて検出可能であり；そして、
ここで、該容器は、医療用容器である、容器。
【請求項１８】
容器システムであって、該容器システムは、以下：
基材を有する第１の容器；
空間により隔てられ、そして該基材上に配置された、複数の光反射セグメントであって、ここで、該空間は、光吸収セグメントを規定し、ここで、該光反射セグメントおよび該光吸収セグメントは、固定情報および可変情報を表すバーコードを規定し、そして、ここで、該バーコードは、リーダーを用いて検出可能である、複数の光反射セグメント；および、
該基材の一部の上に位置づけられる材料、
を備える、容器システム。
【請求項１９】
容器システムであって、該容器システムは、以下：
基材を有する第１の容器；
空間により隔てられ、そして該基材上に配置された、第１の複数の光反射セグメントであって、ここで、該空間は、第１のセットの光吸収セグメントを規定し、そして、ここで、該第１の複数の光反射セグメントおよび該第１のセットの光吸収セグメントは、固定情報を表す第１のバーコードを規定する、第１の複数の光反射セグメント；
空間により隔てられ、そして該基材上に配置された、第２の複数の光反射セグメントであって、該空間は、第２のセットの光吸収セグメントを規定し、そして、ここで、該第２の複数の光反射セグメントおよび該第２のセットの光吸収セグメントは、可変情報を表す第２のバーコードを規定する、第２の複数の光反射セグメント；および、
該基材の一部の上に位置づけられる材料、
を備え、
ここで、該第１のバーコードおよび第２のバーコードは、リーダーを用いて検出可能である、容器システム。
【請求項２０】
容器システムであって、該容器システムは、以下：
基材を有する第１の容器；
空間により隔てられ、そして該基材上に配置された、第１の複数の光反射セグメントであって、該空間は、第１のセットの光吸収セグメントを規定し、そして、ここで、該第１の複数の光反射セグメントおよび該第１のセットの光吸収セグメントは、固定情報または可変情報を表す第１のバーコードを規定する、第１の複数の光反射セグメント；
該基材の一部の上に位置づけられる材料；
空間により隔てられ、そして該基材上に配置された、第２の複数の光反射セグメントであって、該空間は、第２のセットの光吸収セグメントを規定し、そして、ここで、該第２の複数の光反射セグメントおよび該第２のセットの光吸収セグメントは、固定情報または可変情報を表す第２のバーコードを規定する、第２の複数の光反射セグメント；
を備え、
ここで、該第１のバーコードおよび第２のバーコードは、リーダーを用いて検出可能であり；そして、
ここで、該第１のバーコードおよび第２のバーコードの組み合わせは、固定情報および可変情報を表す、容器システム。
【請求項２１】
容器システムであって、該容器システムは、以下：
基材を有する第１の容器；
該基材の一部の上に位置づけられる材料；
空間により隔てられ、そして該材料上に配置された、複数の光反射セグメントであって、該空間は、光吸収セグメントを規定し、ここで、該光反射セグメントおよび該光吸収セグメントは、固定情報および可変情報を表すバーコードを規定し；そして、
ここで、該バーコードは、リーダーを用いて検出可能である、容器システム。
【請求項２２】
容器システムであって、該容器システムは、以下：
基材を有する第１の容器；
該基材の一部の上に位置づけられる材料；
空間により隔てられ、そして該材料上に配置された、第１の複数の光反射セグメントであって、該空間は、第１のセットの光吸収セグメントを規定し、そして、ここで、該第１の複数の光反射セグメントおよび該第１のセットの光吸収セグメントは、固定情報を表す第１のバーコードを規定する、第１の複数の光反射セグメント；
空間により隔てられ、そして該材料上に配置された、第２の複数の光反射セグメントであって、該空間は、第２のセットの光吸収セグメントを規定し、そして、ここで、該第２の複数の光反射セグメントおよび該第２のセットの光吸収セグメントは、可変情報を表す第２のバーコードを規定する、第２の複数の光反射セグメント；
ここで、該第１のバーコードおよび第２のバーコードは、リーダーを用いて検出可能である、容器システム。
【請求項２３】
ウェブ材料上にネガティブイメージバーコードを転写する方法であって、該方法は、以下の工程：
ウェブの材料を提供する工程；
ネガティブイメージバーコードのシグナル表示に応答して、該ネガティブイメージバーコードを、該ウェブ上に転写し得るプリンターを提供する工程であって、該ネガティブイメージバーコードは、固定情報および可変情報を表す、工程；および
該シグナルを該プリンターに転送する工程；
該ネガティブイメージバーコードを、該ウェブの材料上に転写する工程、
を包含する、方法。
【請求項２４】
前記プリンターが、熱転写プリンターである、請求項２３に記載の方法。
【請求項２５】
容器システムであって、該容器システムは、以下：
基材を有する第１の容器；
該基材の一部の上に位置付けられる材料；
を備え、
ここで、該容器システムは、固定情報および可変情報を表すネガティブイメージバーコードを有し、そして、ここで、該ネガティブイメージバーコードは、リーダーを用いて検出可能である、容器システム。
【請求項２６】
前記ネガティブイメージバーコードが、前記第１の容器の上に配置される、請求項２５に記載の容器システム。
【請求項２７】
前記ネガティブイメージバーコードが、前記材料の上に配置される、請求項２５に記載の容器システム。
【請求項２８】
前記材料が、前記ネガティブイメージバーコードの一部の上に位置付けられる、請求項２５に記載の容器システム。
【請求項２９】
容器システムであって、以下：
基材を有する第１の容器；
該基材の一部の上に位置付けられる材料；
を備え、ここで、該容器システムは、固定情報を表す第１のネガティブイメージバーコード、および可変情報を表す第２のネガティブイメージバーコードを有し、そして、ここで、該第１のネガティブイメージバーコードおよび該第２のネガティブイメージバーコードは、リーダーを用いて検出可能である、容器システム。
【請求項３０】
前記第１のネガティブイメージバーコードおよび前記第２のネガティブイメージバーコードが、前記第１の容器の上に配置される、請求項２９に記載の容器システム。
【請求項３１】
前記第１のネガティブイメージバーコードおよび前記第２のネガティブイメージバーコードが、前記材料の上に配置される、請求項２９に記載の容器システム。
【請求項３２】
前記第１のネガティブイメージバーコードが、前記第１の容器の上に配置され、そして前記第２のネガティブイメージバーコードが、前記材料の上に配置される、請求項２９に記載の容器システム。
【手続補正２】
【補正対象書類名】明細書
【補正対象項目名】００７４
【補正方法】変更
【補正の内容】
【００７４】
【表７】
2004530978.tif 000001
表７は、バーコード全てを、走査の際にデコードし得たことを示す。Ｖｉａｆｌｅｘ（登録商標）（グループＢ）容器上の３００のバーコード全ておよび（グループＡ）Ａｂｂｏｔｔ容器上の１００のバーコード全てを、上記の走査法手順を用いて、それらのそれぞれのオーバーパウチを通じてレーザースキャナによりデコードした。最大１０回のスキャンの試みを実施した。各別個の単位をデコードするために、実際必要とされるスキャンの数は、記録しなかった。観察記録（ｏｂｓｅｒｖａｔｉｏｎａｌ  ｎｏｔｅ）のみは、デコードできない存在しない単位について記録され、それらは存在しなかった。